(57)【要約】【課題】小形化が可能であるとともに、施工作業を効率的に行うことができる照明器具を提供する。【解決手段】照明器具は、本体１と、この本体１に配設され、基板２１と、基板１に実装された発光素子２２とを有する光源部２と、この光源部２の背面側に配設され、被設置部に前記本体１が設置される場合に供される設置関係部１３、１４、１５と、前記光源部２を設置関係部１３、１４、１５の前面側に作業空間Ｓを形成するように移動可能に本体１側に保持する保持手段６とを備えている。【選択図】図８
2013143230.tif 000002
【特許請求の範囲】
【請求項１】
本体と；
この本体に配設され、基板と、基板に実装された発光素子とを有する光源部と；
この光源部の背面側に配設され、被設置部に前記本体が設置される場合に供される設置関係部と；
前記光源部を設置関係部の前面側に作業空間を形成するように移動可能に本体側に保持する保持手段と；
を具備することを特徴とする照明器具。
【請求項２】
前記保持手段は、本体側に設けられたガイドスリットを有するガイド部材と、光源部側に設けられ前記ガイドスリットに案内される枢軸とを備えていることを特徴とする請求項１に記載の照明器具。
【請求項３】
前記ガイドスリットは、前面側方向に向かう直線状部と、この直線状部の前面側端部に当該直線状部と略直交する方向に形成された前面側直線状部とを含んで形成されていることを特徴とする請求項２に記載の照明器具。
【発明の詳細な説明】
【技術分野】
【０００１】
本発明の実施形態は、照明器具本体を被設置部に設置する場合に作業空間を確保できる照明器具に関する。
【背景技術】
【０００２】
従来、この種、照明器具において、天井面や壁面等の被設置部に照明器具本体を設置し、目的とする空間を照明するいわゆるブラケットタイプの照明器具が知られている。
【０００３】
一方、近時、ＬＥＤ（発光ダイオード）の高出力化、高効率化に伴い、光源としてＬＥＤを用いた屋内又は屋外で使用される低消費電力、長寿命化が期待できる照明器具が開発されている。
【０００４】
そこで、上記のようなブラケットタイプの照明器具の光源としてＬＥＤを用いることが考えられている。この場合、照明器具の小形化を図るため光源部の背面側に器具取付用の穴や電源線挿入用の穴を配設することが望ましい。
【先行技術文献】
【特許文献】
【０００５】
【特許文献１】特開平２−２１０７０３号公報
【特許文献２】特開２００３−１６８３１９号公報
【発明の概要】
【発明が解決しようとする課題】
【０００６】
しかしながら、上記のように照明器具を構成すると、被設置部に設置する際に、例えば、器具本体にねじ止めされている光源部を取外し、背面側に作業空間を確保して器具の取付けや配線作業を行う必要がある。このため施工作業が効率的に行えないという課題が生じる。
本発明は、上記課題に鑑みなされたもので、小形化が可能であるとともに、施工作業を効率的に行うことができる照明器具を提供することを目的とする。
【課題を解決するための手段】
【０００７】
本発明の実施形態による照明器具は、本体と、この本体に配設され、基板と、基板に実装された発光素子とを有する光源部と、この光源部の背面側に配設され、被設置部に前記本体が設置される場合に供される設置関係部とを備えている。
また、前記光源部を設置関係部の前面側に作業空間を形成するように移動可能に本体側に保持する保持手段を備えている。
【発明の効果】
【０００８】
本発明の実施形態によれば、小形化が可能であるとともに、施工作業を効率的に行うことができる照明器具を提供することが可能となる。
【図面の簡単な説明】
【０００９】
【図１】本発明の実施形態に係る照明器具が壁面に設置されている状態を示す斜視図である。
【図２】同照明器具を示す断面図である。
【図３】図２中、Ａ−Ａ線に沿って切断して示す断面図である。
【図４】図２中、Ｂ−Ｂ線に沿って切断して示し、光源部の移動状態を破線で示す断面図である（セード及び端板は省略して示している）。
【図５】同照明器具を背面側から見て示す平面図である。
【図６】同照明器具を示す分解斜視図である。
【図７】同照明器具において、光源部の取付状態を示し、（ａ）は前面側から見た斜視図であり、（ｂ）は側面側から見た斜視図である（セード及び端板は取外して示している）。
【図８】図７に相当する光源部の移動状態を示し、（ａ）は前面側から見た斜視図であり、（ｂ）は側面側から見た斜視図である。
【発明を実施するための形態】
【００１０】
以下、本発明の実施形態に係る照明器具について図１乃至図８を参照して説明する。各図において電線等の配線接続関係は省略して示している場合がある。なお、各図において同一部分には同一符号を付し、重複した説明は省略する。
【００１１】
本実施形態の照明器具は、天井面や壁面等の被設置部に設置されて使用されるブラケットであり、例えば、鏡が取付けられた壁面等の上部に設置されるミラー灯を示している。
【００１２】
図１乃至図６に示すように照明器具は、本体１と、この本体１に配設された光源部２と、光源部２を覆う保護カバー３と、セード４と、光源部２に電力を供給する電源ユニット５とを備えている。また、前記光源部２を移動可能に保持する保持手段６を備えている。
【００１３】
本体１は、冷間圧延鋼板等で形成された金属製であり、断面がコ字状に折曲されて横長の形態をなしている。したがって、略長方形状の背面壁１１及びこの背面壁１１の両側から略直角に折曲された一対の側面壁１２を有している。
【００１４】
この本体１の背面側、すなわち、背面壁１１は、例えば、壁面への取付面となり、前面側（光の照射方向側）には、光源部２が配設されるようになっている。この背面壁１１の略中央部には、電源線挿入用の穴１３が形成されている。また、電源線挿入用の穴１３の両側には所定の間隔を空けて器具取付用の穴１４が形成されている。
【００１５】
電源線挿入用の穴１３は、貫通孔であり、商用交流電源ＡＣの電源線が外部から本体１内に挿通され導入される部分である。器具取付用の穴１４は、同様に貫通孔であり、本体１の内側から取付ねじを貫通させて壁面等にねじ込んで、照明器具を壁面等に取付けるために用いられる部分である。
【００１６】
さらに、背面壁１１には、電源ユニット５及び端子台１５が取付けられている。端子台１５は、電源ユニット５に接続されており、この端子台１５には電源線挿入用の穴１３から挿入された電源線が接続されるようになっている。
【００１７】
このような電源線挿入用の穴１３、器具取付用の穴１４、端子台１５は、後述するように照明器具を壁面等の被設置部に設置する場合に供される部分であって、施工作業を伴う部分であり、設置関係部として機能する。
なお、本体１の長手方向の両端部には、ＡＢＳ樹脂等の材料で略Ｕ字状に形成された端板１６が配設されるようになっている。
【００１８】
光源部２は、基板２１と、この基板２１に実装された複数の発光素子２２と、基板２１の裏面側に密着するように配設された金属製の放熱板２３とを備えて構成されたＬＥＤモジュールである。
【００１９】
基板２１は、横長の長方形状に形成され、絶縁材であるガラスエポキシ樹脂からなり、表面側には銅箔で形成された配線パターンが施されている。また、適宜白色のレジスト層が積層されるようになっている。なお、基板の材料は、金属製とする場合には、アルミニウム等の熱伝導性が良好で放熱性に優れたべース板の一面に絶縁層が積層された金属製のべース基板を適用するのが好ましい。
このような基板２１が横長で長方形状の放熱板２３の長手方向に複数枚、具体的には、２枚の基板２１が並べられ、ねじ止めされて配設されている。
【００２０】
発光素子２２は、ＬＥＤであり、表面実装型のＬＥＤパッケージである。概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。このようなＬＥＤが基板２１の長手方向に沿って複数個直線状に実装されている。
【００２１】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２２】
なお、ＬＥＤは、ＬＥＤチップを直接基板に実装するようにしてもよく、また、砲弾型のＬＥＤを実装するようにしてもよく、実装方式や形式は、格別限定されるものではない。
【００２３】
また、放熱板２３の両端部は、直角方向に折曲されて一対の側面板２４が形成されている。加えて、この各側面板２４の先端側寄りには、ねじ穴２５が形成されている（主として図６参照）。
【００２４】
保護カバー３は、光源部２の前面側に配設されて、光源部２を覆うように断面が円弧状に形成されている。保護カバー３は、透光性を有し、例えば、アクリル樹脂の両面にマット仕上げを施して形成されており、充電部を保護する機能を担っている。
【００２５】
また、この保護カバー３は、放熱板２３の裏面側から基板２１を介して貫通する取付ねじ３１、及びこの取付ねじ３１に螺合するナット３２によって光源部２に取付けられている。
【００２６】
セード４は、透光性を有し、乳白色を呈するアクリル樹脂よって形成されていて、光源部２を保護カバー３とともに覆い、光源部２から出射される光を拡散する機能を有している。セード４は、断面が略Ｕ字状に形成されており、その開口縁が本体１のコ字状の開口縁に係合されて取付けられている。
【００２７】
電源ユニット５は、本体１の背面壁１１に取付けられている。電源ユニット５は、光源部２に電力を供給し点灯制御するものであり、箱状のケース内に回路基板及びこの基板に実装された回路部品を収容して構成されている。この電源ユニット５は、端子台１５を介して商用交流電源ＡＣに接続されていて、交流電源ＡＣを受けて直流出力を生成する。
【００２８】
電源ユニット５は、例えば、全波整流回路の出力端子間に平滑コンデンサを接続し、この平滑コンデンサに直流電圧変換回路及び電流検出手段を接続して構成されている。したがって、電源ユニット５は、基板２１を介して発光素子２２に接続されており、その直流出力を発光素子２２に供給し、発光素子２２を点灯制御するようになっている。
【００２９】
次に、上記のような構成において、光源部２の取付状態について説明する。光源部２は、本体１に対し、保持手段６によって移動可能に保持されるようになっている。
【００３０】
図２、図４及び図６に示すように本実施形態の保持手段６は、ガイド部材７と、枢軸８とを備えている。ガイド部材７は、略長方形状をなす板状の金属製であり、本体１の背面壁１１における両端部に一対取付けられている。
【００３１】
より詳しくは、ガイド部材７は、主面７１及び脚部７２を備えていて、脚部７２が本体１の背面壁１１にねじ止めされて取付けられている。図４に代表して示すように、主面７１には、ガイドスリット７３が形成されている。このガイドスリット７３は、略コ字状に形成されており、前面側方向に向かう直線状部７３ａと、この直線状部７３ａの両端部に当該直線状部７３ａと略直交する方向に形成された長さ寸法が短い前面側直線状部７３ｂ及び背面側直線状部７３ｃとから構成されている。なお、背面側直線状部７３ｃは、前面側直線状部７３ｂより長さ寸法が短く、換言すれば、角部を形成する程度のものとなっている。
【００３２】
枢軸８は、ねじであり、このねじは、放熱板２３における側面板２４のねじ穴２５にねじ込まれるようになっている。具体的には、枢軸８はガイド部材７のガイドスリット７３を介して側面板２４のねじ穴２５にねじ込まれる。したがって、図７（ａ）、（ｂ）に示すように、光源部２の取付状態（固定状態）においては、枢軸８がガイドスリット７３の背面側直線状部７３ｃに位置された状態で側面板２４のねじ穴２５にしっかりとねじ込まれ締め付けられる。これにより光源部２は、本体１に取付けられ配設された状態となる。
【００３３】
続いて、光源部２を移動する場合について説明する。図７（ａ）、（ｂ）に示す取付状態から枢軸８であるねじを緩める。この状態は、ねじは緩められたものの外れることなくねじ穴２５に螺合している状態であり、枢軸８がガイドスリット７３を軌道としてガイドスリット７３に案内されてスライド移動可能である。つまり、光源部２がガイドスリット７３の軌道に従って移動できる状態となっている。
【００３４】
したがって、図４に示すように、まず、枢軸８を背面側直線状部７３ｃの位置から直線状部７３ａを経由して前面側（図示上、下側）へスライド移動させ、前面側直線状部７３ｂの端部まで移動させる。この場合、光源部２は、図示Ａで示すように前面側へ突出するように移動される。次いで、枢軸８を中心として外側方向（図示上、左側方向）に回動させる。
【００３５】
このとき回動角度は、約７０度となっており、光源部２は、図示Ｂで示すように前面側であって外側方向へ移動される。この移動後の状態が図８（ａ）、（ｂ）に示す状態である。したがって、光源部２は、保持手段６により本体１側に保持されたまま前面側へ移動可能となっている。
なお、保持手段６は、本体１の両端部に一対設けられているため、以上のような操作が一対について行われる。
次に、上記のように構成された照明器具を壁面等の被設置部に設置する場合について説明する。
【００３６】
図７（ａ）、（ｂ）に示すように、セード４及び端板１６を取外した状態で、保持手段６の枢軸８を緩め、光源部２をガイドスリット７３の軌道に従って移動し、図８（ａ）、（ｂ）に示すように、前面側の外側方向へ移動する。
【００３７】
この状態で電源線挿入用の穴１３に電源線を挿通させる。その後、器具取付用の穴１４に取付ねじを貫通させて壁面等にねじ込んで、本体１を壁面等に取付ける。次いで、電源線を端子台１５に接続して結線する。
【００３８】
この取付け作業や配線作業が終了後、光源部２をガイドスリット７３の軌道に従って元の状態に復帰移動し、枢軸８をしっかりと締め付ける。そして、セード４及び端板１６を取付ける。
【００３９】
以上の設置作業において、小形化に有利なため、設置する場合に供される設置関係部（電源線挿入用の穴１３、器具取付用の穴１４、端子台１５）は、光源部２の背面側に配設されているが、光源部２が移動可能であり、設置作業に必要な作業空間Ｓを確保することができる。また、この場合、光源部２は、本体１側と分離することなく、本体１側に保持されているため、作業が行いやすく、施工作業の効率化を図ることができる。
【００４０】
さらに、光源部２の取付状態においては、枢軸８がガイドスリット７３の背面側直線状部７３ｃに位置されるので取付状態を安定化させることが可能となる。さらにまた、光源部２の移動状態においては、枢軸８がガイドスリット７３の前面側直線状部７３ｂに位置されるので作業空間Ｓを広く確保することが可能となる。
【００４１】
なお、設置関係部は、電源線挿入用の穴１３、器具取付用の穴１４や端子台１５に限るものではない。また、全ての設置関係部が光源部２の背面側に配設されている必要はない。一部の設置関係部が光源部２の背面側に配設されている場合にも一定の効果を奏する場合がある。
【００４２】
また、ガイドスリット７３は、前面側直線状部７３ｂ及び背面側直線状部７３ｃを有することが好ましいが、これらのうち、一方のみを有する場合であってもよい。さらにまた、これら前面側直線状部７３ｂ及び背面側直線状部７３ｃを有することなく、直線状部７３ａのみによって形成されていてもよい。この場合にも所定の作業空間を確保することが可能である。
【００４３】
照明器具の設置状態において、電源ユニット５に電力が供給されると、光源部２の発光素子２２に通電され発光素子２２は発光する。発光素子２２から出射された光は、保護カバー３を透過し、拡散性を有するセード４を透過して拡散され、所定範囲に照射される。
また、発光素子２２の発光に伴い熱が発生する。この熱は、基板２１の裏面側から主として放熱部材２３へ伝導され放熱される。
以上のように本実施形態によれば、小形化が可能であるとともに、施工作業を効率的に行うことができる照明器具を提供することが可能となる。
【００４４】
なお、本発明は、上記実施形態の構成に限定されることなく、発明の要旨を逸脱しない範囲で種々の変形が可能である。また、上記実施形態は、一例として提示したものであり、発明の範囲を限定することは意図していないものである。
【符号の説明】
【００４５】
１・・・本体、２・・・光源部、
３・・・保護カバー、４・・・セード、
６・・・保持手段、７・・・ガイド部材、
８・・・枢軸、１３・・・電源線挿入用の穴、
１４・・・器具取付用の穴、１５・・・端子台、
２４・・・側面板、７１・・・主面、
７２・・・脚部、７３・・・ガイドスリット、
７３ａ・・・直線状部、７３ｂ・・・前面側直線状部、
７３ｃ・・・背面側直線状部、Ｓ・・・作業空間
【図１】
2013143230.tif 000003
【図２】
2013143230.tif 000004
【図３】
2013143230.tif 000005
【図４】
2013143230.tif 000006
【図５】
2013143230.tif 000007
【図６】
2013143230.tif 000008
【図７】
2013143230.tif 000009
【図８】
2013143230.tif 000010